(57)【要約】【課題】ローラ対の圧着及び解除を行うカムの回転トルクを軽減させ、カム駆動源のコストダウン及び省スペース化を図ることのできる圧着解除機構の提供。【解決手段】第１のローラ１を第２のローラ２に圧着させる圧着位置と第２のローラ２から離隔させる解除位置との間で移動させる第１の圧着レバー５と、第１の圧着レバー５と間隔をおいて対向配置され、第１の圧着レバー５と同一方向に移動可能に設けられた第２の圧着レバー６と、第１の圧着レバー５と第２の圧着レバー６とに亘って設けられ、両者を互いに近接する方向に付勢する付勢部材７と、第１の圧着レバー５と第２の圧着レバー６との間に設けられ、各圧着レバー５、６の移動量を制御すると共に第１の圧着レバー５及び第２の圧着レバー６をそれぞれ同一方向に移動させ、第１のローラ１と第２のローラ２との圧着及び解除動作を規制する少なくとも１個以上のカム８、９とを有する。【選択図】          図１
2005010605.tif 000002
【特許請求の範囲】
【請求項１】
対向配置される第１のローラと第２のローラとの圧着及び解除を行うローラ対の圧着解除機構であって、前記第１のローラを軸支すると共に、前記第１のローラを、前記第２のローラに圧着させる圧着位置と前記第２のローラから離隔させる解除位置との間で移動させる第１の圧着レバーと、前記第１の圧着レバーと間隔をおいて対向配置され、前記第１の圧着レバーと同一方向に移動可能に設けられた第２の圧着レバーと、前記第１の圧着レバーと前記第２の圧着レバーとに亘って設けられ、両者を互いに近接する方向に付勢する付勢部材と、前記第１の圧着レバーと前記第２の圧着レバーとの間に設けられ、各圧着レバーの移動量を制御すると共に前記第１の圧着レバー及び前記第２の圧着レバーをそれぞれ同一方向に移動させ、前記第１のローラと前記第２のローラとの圧着及び解除動作を規制する少なくとも１個以上のカムとを有することを特徴とするローラ対の圧着解除機構。
【請求項２】
前記第１の圧着レバー及び前記第２の圧着レバーは、共に同一端側に設けられた支軸を中心にして回転可能に設けられることを特徴とする請求項１記載のローラ対の圧着解除機構。
【請求項３】
前記第１の圧着レバーと前記第２の圧着レバーとは、前記第１のローラ及び前記第２のローラによって搬送される被搬送部材の搬送路を挟んで互いに対向するように配置されることを特徴とする請求項１又は２記載のローラ対の圧着解除機構。
【請求項４】
前記カムは、前記第１の圧着レバー及び前記第２の圧着レバーの各々に設けられた第１のカム及び第２のカムからなり、前記第２の圧着レバーに設けられる第２のカムは、前記第１のローラと前記第２のローラを圧着位置に移動させた後、前記第１の圧着レバーに設けられる第１のカムとは独立して回転することにより、前記第１のローラと前記第２のローラとの圧着力を調整可能に構成されることを特徴とする請求項１、２又は３記載のローラ対の圧着解除機構。
【請求項５】
前記カムは、前記第１の圧着レバー及び前記第２の圧着レバーの各々に設けられた第１のカム及び第２のカムからなり、前記第１の圧着レバーは前記第１のローラの両端にそれぞれ設けられ、前記第２の圧着レバーは前記第１の圧着レバーの各々に間隔をおいて対向配置され、前記第２のカムは、前記第１のローラと前記第２のローラを圧着位置に移動させた後、前記第１の圧着レバーに設けられる第１のカムとは独立し、且つ前記第２の圧着レバーの各々でそれぞれ独立して回転することにより、前記第１のローラと前記第２のローラとの軸方向の圧着力を調整可能に構成されることを特徴とする請求項１、２、３又は４記載のローラ対の圧着解除機構。
【発明の詳細な説明】
【０００１】
【発明の属する技術分野】
本発明は、対向配置されるローラ対をカム機構を用いて圧着位置と解除位置とに移動可能とするローラ対の圧着解除機構に関する。
【０００２】
【従来の技術】
従来、加熱ローラと加圧ローラとからなる２つのローラの間で記録媒体を圧着して画像を熱定着させる定着装置には、圧着による各ローラの歪みや劣化を防止するため、それら２つのローラの圧着を解除するための圧着解除機構を設けたものが知られている（特許文献１）。
【０００３】
このような従来の圧着解除機構の概略構成を図５及び図６に示す。図５は圧着状態、図６は解除状態を示している。
【０００４】
加圧ローラ１０１は、その両端部において回転軸１０２が圧着レバー１０３に軸支されている。圧着レバー１０３は、一端部に設けられた支軸１０４を中心にして、その他端部が回転可能とされており、この圧着レバー１０３の支軸１０４を中心とした回転動作によって、加圧ローラ１０１を加熱ローラ１０５に圧着させる圧着位置と、加熱ローラ１０５から離隔させる解除位置との間を移動可能としている。
【０００５】
また、圧着レバー１０３の他端部には、加熱ローラ１０５を挟んで該圧着レバー１０３と反対側に設けられた固定台１０６とに亘って引っ張りばね１０７がかけ渡されており、加圧ローラ１０１が加熱ローラ１０５に圧着する方向（図５中の矢視方向）に圧着レバー１０３を常時付勢している。そして、圧着レバー１０３の他方端部近傍に設けられたカム１０８の回転動作によって、圧着レバー１０３を支軸１０４を中心に引っ張りばね１０７に抗して、図６中の矢視方向に回転させることで、加圧ローラ１０１を加熱ローラ１０５から離隔させ、その圧着状態を解除させる。
【０００６】
なお、図中、１０９は記録媒体の搬入口、１１０は記録媒体の搬送路である。
【０００７】
【特許文献１】特開平５−５３４７３号公報
【０００８】
【発明が解決しようとする課題】
このようなカム機構を用いた圧着解除機構では、引っ張りばね１０７の付勢力によって、加圧ローラ１０１には常時強い圧着力で荷重が掛けられているため、加熱ローラ１０５との圧着状態を解除するには、更に強い荷重が掛かる状態でカム１０８を回転させる必要がある。すなわち、図５に示す圧着状態から解除させるためにカム１０８を回転させると、カム１０８に引っ張りばね１０７の付勢力が掛かって圧着荷重が増大するため、カム１０８を回転させる駆動モータの動力を多く必要とする。
【０００９】
このため、駆動モータに大トルクのものを必要とし、イニシャルコスト及びランニングコストの増大化や駆動モータが大型化することによる設置スペースの増大化を招く問題があった。また、カム自身にも、過大な圧着荷重に対抗し得るだけの強度アップを図る必要があり、更にコストアップを招く問題があった。
【００１０】
このような問題は、定着装置に限らず、同様に記録媒体をローラ間に挟み込む構成を採る複写機のレジストの他、対向配置されるローラ対をカム機構を用いて圧着位置と解除位置とに移動させる構成を採る圧着解除機構において共通する問題である。
【００１１】
そこで、本発明は、ローラ対の圧着及び解除を行うためのカムの回転トルクを軽減させ、カム駆動源のコストダウン及び省スペース化を図ることのできる圧着解除機構を提供することを課題とする。
【００１２】
本発明の他の課題は、本明細書の以下の記載によって明らかとなる。
【００１３】
【課題を解決するための手段】
上記課題は、以下の各発明によって解決される。
【００１４】
請求項１記載の発明は、対向配置される第１のローラと第２のローラとの圧着及び解除を行うローラ対の圧着解除機構であって、前記第１のローラを軸支すると共に、前記第１のローラを、前記第２のローラに圧着させる圧着位置と前記第２のローラから離隔させる解除位置との間で移動させる第１の圧着レバーと、前記第１の圧着レバーと間隔をおいて対向配置され、前記第１の圧着レバーと同一方向に移動可能に設けられた第２の圧着レバーと、前記第１の圧着レバーと前記第２の圧着レバーとに亘って設けられ、両者を互いに近接する方向に付勢する付勢部材と、前記第１の圧着レバーと前記第２の圧着レバーとの間に設けられ、各圧着レバーの移動量を制御すると共に前記第１の圧着レバー及び前記第２の圧着レバーをそれぞれ同一方向に移動させ、前記第１のローラと前記第２のローラとの圧着及び解除動作を規制する少なくとも１個以上のカムとを有することを特徴とするローラ対の圧着解除機構である。
【００１５】
請求項２記載の発明は、前記第１の圧着レバー及び前記第２の圧着レバーは、共に同一端側に設けられた支軸を中心にして回転可能に設けられることを特徴とする請求項１記載のローラ対の圧着解除機構である。
【００１６】
請求項３記載の発明は、前記第１の圧着レバーと前記第２の圧着レバーとは、前記第１のローラ及び前記第２のローラによって搬送される被搬送部材の搬送路を挟んで互いに対向するように配置されることを特徴とする請求項１又は２記載のローラ対の圧着解除機構である。
【００１７】
請求項４記載の発明は、前記カムは、前記第１の圧着レバー及び前記第２の圧着レバーの各々に設けられた第１のカム及び第２のカムからなり、前記第２の圧着レバーに設けられる第２のカムは、前記第１のローラと前記第２のローラを圧着位置に移動させた後、前記第１の圧着レバーに設けられる第１のカムとは独立して回転することにより、前記第１のローラと前記第２のローラとの圧着力を調整可能に構成されることを特徴とする請求項１、２又は３記載のローラ対の圧着解除機構である。
【００１８】
請求項５記載の発明は、前記カムは、前記第１の圧着レバー及び前記第２の圧着レバーの各々に設けられた第１のカム及び第２のカムからなり、前記第１の圧着レバーは前記第１のローラの両端にそれぞれ設けられ、前記第２の圧着レバーは前記第１の圧着レバーの各々に間隔をおいて対向配置され、前記第２のカムは、前記第１のローラと前記第２のローラを圧着位置に移動させた後、前記第１の圧着レバーに設けられる第１のカムとは独立し、且つ前記第２の圧着レバーの各々でそれぞれ独立して回転することにより、前記第１のローラと前記第２のローラとの軸方向の圧着力を調整可能に構成されることを特徴とする請求項１、２、３又は４記載のローラ対の圧着解除機構である。
【００１９】
【発明の実施の形態】
以下、本発明の実施の形態について図面に基づいて説明する。
【００２０】
図１及び図２は、本発明に係るローラ対の圧着解除機構としての定着装置の概略構成を示す図であり、図１は圧着状態、図２は解除状態を示している。
【００２１】
加圧ローラ１は、一端に設けられた支軸５１を中心にして他端が回転可能に設けられた２つの上側圧着レバー５（第１の圧着レバー）の中程に亘って、回転軸１１の両端がそれぞれ回転可能に軸支されている。なお、図では２つの上側圧着レバー５のうちの片方のみが示されている。
【００２２】
そして、上側圧着レバー５の各々が支軸５１を中心にして回転することによって、加圧ローラ１は、加熱ローラ２の表面に対して圧着する圧着位置（図１の状態）と加熱ローラ２の表面から離隔する解除位置（図２の状態）との間を移動可能とされている。
【００２３】
加熱ローラ２は、被搬送部材である図示しない記録媒体を搬送する搬送路４を挟んで加圧ローラ１と対向配置され、装置本体に固定状に回転可能に軸支されている。加熱ローラ２には図示しない加熱源が備えられており、搬入口３から搬入された記録媒体を加圧ローラ１との間で圧着し、図示しない駆動モータによって回転することにより、搬送路４内を図示右方向へ搬送しながら、記録媒体上に記録された画像の加熱定着を行う。
【００２４】
なお、本実施形態の説明では、加圧ローラ１を第１のローラ、加熱ローラ２を第２のローラとするが、その逆に、加熱ローラ２を第１のローラとして上側圧着レバー５に軸支することにより、圧着位置と解除位置との間で移動可能としてもよく、また、加圧ローラ１にも加熱源を備えることにより、両ローラ１、２で共に加熱を行うようにしてもよい。
【００２５】
各上側圧着レバー５とは間隔をおいて２つの下側圧着レバー６（第２の圧着レバー）が、それぞれ各上側圧着レバー５と対向配置されている。ここでは、搬送路４を間に挟んで上側圧着レバー５と反対側に下側圧着レバー６が配置されており、本発明において好ましい態様を示している。なお、図では２つの下側圧着レバー６のうちの片方のみが示されている。
【００２６】
この下側圧着レバー６の各々は、上側圧着レバー５における支軸５１の配設側と同一端（図示左端）に設けられた支軸６１を中心にして他端が回転可能に設けられており、これにより、上側圧着レバー５と下側圧着レバー６とは、図１、２において矢視するように、各支軸５１、６１を中心にして同一方向に移動可能とされている。
【００２７】
これら上側圧着レバー５と下側圧着レバー６における各支軸５１、６１の反対端には引っ張りばね７がかけ渡されていると共に、この引っ張りばね７よりも内側における上側圧着レバー５と下側圧着レバー６との互いに対向する側面５２、６２の近傍に、上側圧着レバー５の各々と下側圧着レバー６の各々にカム８、９（第１のカム８、第２のカム９）が配設されている。これにより、上側圧着レバー５と下側圧着レバー６は、引っ張りばね７の付勢力によって、各支軸５１、６１の反対端が互いに近接する方向に付勢され、各側面５２、６２を上記カム８、９の表面に当接させる。
【００２８】
これらカム８、９は、図示しない駆動モータによって互いに連動して回転することができると共に、この回転により上側圧着レバー５と下側圧着レバー６との各側面５２、６２に当接して摺動し、上側圧着レバー及び下側圧着レバーを、図１、図２において矢視するように、支軸５１、６１を中心にしてそれぞれ同一方向に移動させるように位相が揃えられて配置され、それぞれ上側圧着レバー５と下側圧着レバー６の移動量を制御することにより、加圧ローラ１と加熱ローラ２との圧着及び解除動作を規制している。
【００２９】
なお、加圧ローラ１の圧着・解除を行うために、上側圧着レバー５を図示上下方向に平行に移動可能とすることもできるが、本実施形態に示すように、上側圧着レバー５及び下側圧着レバー６を、共に同一端側に設けられた支軸５１、６１を中心にして回転可能に設けることで、上側圧着レバー５及び下側圧着レバー６を互いに近接させる方向に付勢するための引っ張りばね７をその支軸５１、６１の反対端側に配設するだけで済み、部品点数の削減及び構造の簡素化を図ることができる。
【００３０】
また、搬送路４を間に挟んで上側圧着レバー５と反対側に下側圧着レバー６を配置したことで、上側圧着レバー５と下側圧着レバー６との間に、カム８、９や搬送路４を配設するためのスペースを十分に取ることができる。
【００３１】
かかる圧着解除機構において、加圧ローラ１と加熱ローラ２との圧着を行う場合、各カム８、９が図１に示す状態まで回転することで、カム９が下側圧着レバー６の側面６２を摺動して、下側圧着レバー６を支軸６１を中心にして矢視方向に移動させる。このとき上側圧着レバー５は、カム８に当接しつつ引っ張りばね７によって支軸５１を中心にして同様に矢視方向に移動し、引っ張りばね７の付勢力によって加圧ローラ１を加熱ローラ２の表面に対して圧着させる。本実施形態に示す定着装置では、この圧着状態で記録媒体を加熱加圧すると同時に、駆動モータの駆動によって回転することで、記録媒体を搬送する。
【００３２】
また、加圧ローラ１と加熱ローラ２との解除を行う場合、図１の状態からカム８、９が回転すると、下側圧着レバー６は、引っ張りばね７によって当接しているカム９に案内されて、支軸６１を中心にして図２の矢視方向に移動を開始する。これと同時に、上側圧着レバー５も引っ張りばね７によって当接されるカム８に案内されて、支軸５１を中心にして、同じく図２の矢視方向に移動を開始する。
【００３３】
カム８、９が図１から図２に示す状態まで回転することで、加圧ローラ１は加熱ローラ２の表面から離隔する解除位置まで移動され、圧着は解除される。ここで、上側圧着レバー５は、引っ張りばね７によって加圧ローラ１を加熱ローラ２に対して圧着する方向に付勢されているが、引っ張りばね７の一端は、下側圧着レバー６によって上側圧着レバー５と同一方向に移動するため、圧着状態から解除状態に移行するに際して、引っ張りばね７はほとんど付勢方向と反対方向に伸張することはなく、引っ張りばね７の使用長はほとんど変化しないため、カム８、９の回転による圧着荷重の変化もない。
【００３４】
これによりカム８、９の回転トルクを抑えることができ、カム８、９の駆動モータに大トルク、大動力のものを使用する必要がなくなり、駆動モータのイニシャルコスト及びランニングコストを低減することができると共に、小型のものを使用できることにより省スペース化を図ることも可能となる。
【００３５】
更に、カム８、９自身にも大きな荷重が掛かることがなくなるため、カム８、９の強度アップを講じる必要もなくなることから、コストダウンを図ることも可能となる。
【００３６】
なお、下側圧着レバー６に設けられるカム９は、上側圧着レバー５に設けられるカム８と連動して回転することにより、加圧ローラ１を加熱ローラ２に対して圧着する図１に示す圧着位置に移動させた後は、上側圧着レバー５に設けられるカム８とは独立して回転量を調整することにより、加圧ローラ１と加熱ローラ２との圧着力を調整可能に構成することも好ましい。
【００３７】
すなわち、図１に示す圧着状態において、カム９をカム８とは独立して任意の角度回転させると、上側圧着レバー５と下側圧着レバー６との間隔が変更される。例えば、圧着状態においてカム９を回転させて上側圧着レバー５との間隔を狭めると、引っ張りばね７の付勢力は弱められ、上側圧着レバー５によって軸支されている加圧ローラ１の加熱ローラ２に対する圧着力は弱められる方向に調整される。また、それとは逆に、上側圧着レバー５との間隔を広げる方向にカム９を回転させると、引っ張りばね７の付勢力は更に強められ、上側圧着レバー５によって軸支されている加圧ローラ１の加熱ローラ２に対する圧着力は強められる方向に調整される。
【００３８】
このようにカム９の回転量をカム８とは独立して調整可能とするには、カム８とカム９のそれぞれに独立した駆動源を設けるようにしたり、共通の駆動源を用いる場合には、カム８とカム９とでそれぞれ独立した動力伝達機構を設け、その動力伝達機構の動作によりカム９を単独で回転させるようにすればよい。
【００３９】
また、圧着解除機構として本実施形態に示す定着装置のように２つのローラ間で記録媒体等の被搬送部材の搬送を行うものの場合には、下側圧着レバー６に設けられるカム９は、両ローラ１、２を圧着位置に移動させた後は、上側圧着レバー５に設けられるカム８とは独立し、且つ下側圧着レバー６の各々でそれぞれ独立して回転量を調整することにより、両ローラ１、２間の軸方向の圧着力を調整可能に構成することも好ましい。
【００４０】
すなわち、図１に示す圧着状態において、カム９をカム８とは独立し、且つ下側圧着レバー６の各々でそれぞれ独立して任意の角度回転させると、上側圧着レバー５と下側圧着レバー６との間隔が、２つの下側圧着レバー６の各々で相違する。例えば、圧着状態において、２つの下側圧着レバー６のうち一方のレバーに設けられるカム９を独立に回転させて上側圧着レバー５との間隔を狭めると、その狭められた側の引っ張りばね７の付勢力は弱められ、その下側圧着レバー６に対向する上側圧着レバー５によって軸支されている加圧ローラ１の加熱ローラ２に対する圧着力は弱められる方向に調整される。また、それとは逆に、上側圧着レバー５との間隔を広げると、その広げられた側の引っ張りばね７の付勢力は弱められ、その下側圧着レバー６に対向する上側圧着レバー５によって軸支されている加圧ローラ１の加熱ローラ２に対する圧着力は更に強められる方向に調整される。
【００４１】
これにより、両ローラ１、２間で搬送される被搬送部材である記録媒体の圧着力を幅方向で任意に調整することができ、記録媒体の搬送時に曲がりが発生するような場合でも、両ローラ１、２間の圧着力を軸方向で調整することで、搬送曲がりの問題を解消することができるようになる。
【００４２】
このようにカム９の各々の回転量を独立して調整可能とするには、カム９のそれぞれに独立した駆動源を設けるようにしたり、共通の駆動源を用いる場合には、カム９の各々でそれぞれ独立した動力伝達機構を設け、その動力伝達機構の動作によりカム９の各々を単独で回転させるようにすればよい。
【００４３】
以上説明した圧着解除機構では、第１の圧着レバーである上側圧着レバー５と第２の圧着レバーである下側圧着レバー６との間に、各々に対応する第１のカム８と第２のカム９とを配設した例を示したが、本発明においてカム機構は、第１の圧着レバーと第２の圧着レバーとの間に少なくとも１個以上あればよい。
【００４４】
図３及び図４は、カム機構として、第１の圧着レバーである上側圧着レバー５と第２の圧着レバーである下側圧着レバー６との間に、１個のカム８０を配設した定着装置の一例であり、図３は圧着状態、図４は解除状態を示している。図１、図２と同一符号は同一構成を示しており、特に相違がない限り詳細な説明については省略する。
【００４５】
上側圧着レバー５は、カム８０のカム面が当接する側面５２が下側圧着レバー６に向けて突出形成された突出部５３の先端に設けられており、この上側圧着レバー５の側面５２と、それに対向する下側圧着レバー６の側面６２との間に、カム８０が配設されている。突出部は下側圧着レバー６側に設けられていてもよく、また、上側圧着レバー５及び下側圧着レバー６の双方に設けられていてもよい。
【００４６】
この圧着解除機構では、加圧ローラ１と加熱ローラ２との圧着を行う場合、カム８０が図３に示す状態まで回転することで、カム８０が下側圧着レバー６の側面６２を摺動して、下側圧着レバー６を支軸６１を中心にして矢視方向に移動させる。このとき上側圧着レバー５は、側面５２がカム８０に当接しつつ引っ張りばね７によって支軸５１を中心にして同様に矢視方向に移動し、引っ張りばね７の付勢力によって加圧ローラ１を加熱ローラ２の表面に対して圧着させる。
【００４７】
また、加圧ローラ１と加熱ローラ２との解除を行う場合、図３の状態からカム８０が回転すると、下側圧着レバー６は、側面６２が引っ張りばね７によってカム８０に案内され、支軸６１を中心にして図４の矢視方向に移動を開始する。これと同時に、上側圧着レバー５も引っ張りばね７によってカム８０に案内されて、支軸５１を中心にして、同じく図４の矢視方向に移動を開始する。
【００４８】
カム８０が図３から図４に示す状態まで回転することで、加圧ローラ１は加熱ローラ２の表面から離隔する解除位置まで移動され、圧着は解除される。ここで、上側圧着レバー５は、引っ張りばね７によって加圧ローラ１を加熱ローラ２に対して圧着する方向に付勢されているが、引っ張りばね７の一端は、下側圧着レバー６によって上側圧着レバー５と同一方向に移動するため、圧着状態から解除状態に移行するに際して、引っ張りばね７はほとんど付勢方向と反対方向に伸張することはなく、引っ張りばね７の使用長はほとんど変化しないため、カム８０の回転による圧着荷重の変化もない。
【００４９】
この圧着解除機構においては、カム機構として１個のカム８０で図１、図２に示す圧着解除機構と同様の機能を果たすことができるため、更に部品点数の削減化、小型化及び省コスト化を図り得るものとなる。
【００５０】
本発明に係るローラ対の圧着解除機構は、記録媒体上に形成されたトナー像を加熱加圧することにより融解定着させる複写機、レーザプリンタ、ファクシミリ等の画像形成装置の定着装置として、更には、熱可塑性樹脂粒子を含む記録媒体上に記録されたインクジェット画像を加熱加圧し、熱可塑性樹脂粒子を溶融、透明化させることによって画像の定着を行うインクジェットプリンタの定着装置として好ましく用いることができるのは勿論のこと、その他、ローラ対を用いて記録媒体等の被搬送部材を搬送する機構を有する複写機のレジストや、インクジェットプリンタのプラテン搬送ローラ等、ローラ対を用いてその圧着及び解除を行う機構を有する装置に広く適用することができる。
【００５１】
【発明の効果】
本発明によれば、ローラ対の圧着及び解除を行うためのカムの回転トルクを軽減させ、カム駆動源のコストダウン及び省スペース化を図ることのできる定着装置を提供することができる。
【図面の簡単な説明】
【図１】定着装置における圧着状態を示す概略構成図
【図２】定着装置における解除状態を示す概略構成図
【図３】他の実施形態に係る定着装置における圧着状態を示す概略構成図
【図４】他の実施形態に係る定着装置における解除状態を示す概略構成図
【図５】従来の定着装置における圧着状態を示す概略構成図
【図６】従来の定着装置における解除状態を示す概略構成図
【符号の説明】
１：加圧ローラ（第１のローラ）
１１：回転軸
２：加熱ローラ（第２のローラ）
３：搬入口
４：搬出路
５：上側圧着レバー（第１の圧着レバー）
５１：支軸
５２：側面
５３：突出部
６：下側圧着レバー（第２の圧着レバー）
６１：支軸
６２：側面
７：引っ張りばね（付勢部材）
８：カム（第１のカム）
９：カム（第２のカム）
８０：カム
【図１】
2005010605.tif 000003
【図２】
2005010605.tif 000004
【図３】
2005010605.tif 000005
【図４】
2005010605.tif 000006
【図５】
2005010605.tif 000007
【図６】
2005010605.tif 000008